(57)【特許請求の範囲】
【請求項１】
インキが収容されたリフィルの表面に帯状の溝部を形成し、その帯状の溝部に凹凸部を形成すると共に、その帯状の溝部の凹凸部に前記インキの色を表示せしめたことを特徴とするリフィル。
【発明の詳細な説明】
【技術分野】
【０００１】
本発明は、インキが収容されたリフィルの表面に、前記インキの色を表示せしめたリフィルに関するものである。
【背景技術】
【０００２】
１例として、ボールペンの先端の文字を書くボールを保持しているボール保持筒の外観色を、その保持筒が保持しているボールによって描き出される文字の色と同色となした先端着色ボールペンがある。
【０００３】
【特許文献１】実開平４−４７５７７号
【発明の開示】
【発明が解決しようとする課題】
【０００４】
前記の従来技術にあっては、保持筒によってインキの色を確認することができると言った効果を有している。
しかし、上記明細書に記載されているように、保持筒への着色は、単なる塗装や焼き付け塗装が一般的である。よって、例えば、定規等に保持筒を押し当てての筆記を繰り返し行った場合には、定規との摩擦により、保持筒に着色した色が剥がれてしまい、その結果、インキの色を確認することができなくなってしまっていた。
また、出没式の筆記具にあっては、保持部と軸筒の開口部との摺動が繰り返されるため、これまた、擦れ（摩擦）により色が剥がれてしまっていた。
【課題を解決するための手段】
【０００５】
本発明は、インキが収容されたリフィルの表面に帯状の溝部を形成し、その帯状の溝部に凹凸部を形成すると共に、その帯状の溝部の凹凸部に前記インキの色を表示せしめたことを要旨とする。
【発明の効果】
【０００６】
本発明は、インキが収容されたリフィルの表面に帯状の溝部を形成し、その帯状の溝部に凹凸部を形成すると共に、その帯状の溝部の凹凸部に前記インキの色を表示せしめたので、万が一、凸の表面の表示が剥がれてしまっても、凹部に潜り込んでいる表示は剥がれない。よって、長期的な使用に対しても収容されているインキの色を表示でき、これによってインキの色を長期に渡って識別することができる。
【発明を実施するための最良の形態】
【０００７】
図１〜図１４に示し説明する。黒色や赤色、青色の３色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。
尚、符号９は、前記後軸３に一体的に形成さクリップ部であるが、別部材で構成し、互いを固定しても良い。また、符号１０は、前記先部材４の把時する部分に装着されたゴム状弾性体からなるグリップ部材であるが、先部材４の表面にローレット加工などを施すことによって、グリップ部としても良い。
【０００８】
前記後軸３のスリット６には、スライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペン（筆記体）１６が接続されているが、シャープペンシルなどであっても良い。参照符号１７は、筆記体１６並びに、その筆記体１６に接続するスライダー１１を後方に付勢するコイルスプリングなどの弾撥部材である。
【０００９】
前記前軸２の１部材である中軸５の中間部には、規制部１８が形成されており、その規制部１８には、筆記体１６が遊挿する３つの貫通孔１９が形成されており、前記規制部１８に弾撥部材１７の一端を係止させることにより、筆記体１６を後方に付勢している。また、中軸５の内側で、規制部１８の後方には、長手方向に３つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外径方向に向かって拡開する扇形を形成している。
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
また、この先部材４の内径部はペン先側へ向かって徐々に径が小さくなっており、円錐形状の内形部を有しているが、その円錐上部の中間部には前記筆記体１６を軸本体１の中心軸線上に向けて付勢する複数本のリブ２１が等間隔な位置に形成されている。
【００１０】
前記ボールペン１６の先端には、ボールホルダー２２が固定されており、そのボールホルダー２２の先端部にはボール２３が回転自在に配置されている。また、前記ボールホルダー２２は先端に向かい徐々に縮径している。即ち、円錐形状をなしている（円錐部２４）。そして、その円錐部２４の表面には、微細な凹凸部２５が形成されている。本例においては、その凹凸部２５は微細な螺旋により形成されているが、ブラスト加工などによって、微細な凹凸部を形成しても良い。また、その螺旋状の凹凸部２５の表面には、ボールペン１６に収容されているインキと同色の塗料２６が塗装により着色されている。詳述すると、その塗料２６は、凹凸部２５の凸部２５ａの表面は勿論、凹部２５ｂの表面にも着色されている。つまり、塗料２６は、凹部２５ｂにも入り込んでいる。尚、本例においては、円錐部２４の凹凸部２５にインキと同色の塗料を着色したが、「赤」や「Ｒ」、「黒」や「Ｂ」と言ったインキの色を表示する文字などを描いても良い。
前記微細な凹凸部の平均粗さは、６．３μｍＲａ〜２５μｍＲａ程度となっているが、１．６μｍＲａ〜５０μｍＲａの範囲であればよい。凹凸部の平均粗さを１．６μｍＲａ未満にしてしまうと、凹部の深さがほとんどなくなり、従来技術と同様に剥離してしまう危険性がある。一方、平均粗さが５０μｍＲａを超えると、鑢のようになり切削効果が発生してしまい、定規などの当接部を削ってしまう危険性がある。
【００１１】
作用について説明する。仮に、凹凸部２５の凸部２５ａの表面の表示が剥離してしまっても、凹部２５ｂの表示が残留する。
次に動作について説明する。図１（図１２）に示す状態から特定のスライダー１１を前方（図中下方）に押圧すると、スライダー１１は、スリット６並びに摺動溝７に案内されながら、筆記体１６を伴い前進し、筆記体１６の先端が軸本体１の先端より突出する。と、同時に、スライダー１１が軸筒本体１の内側に押し込まれ、次いで、スライダー１１の側面部に形成されている摺動突起１２の後端が、摺動溝７の前端部に係合し、筆記体１６の後退作用を阻止する。つまり、この摺動溝７をスリット６の中間部までしか形成しないことにより、スライダー１１の係合をも兼ねるようになっている。
この筆記体１６の突出過程で、その筆記体１６は前記リブ２１によって軸本体１の中心軸線上に向けて付勢され、その付勢によって筆記体１６は軸本体１の中心方向へと移動する。その結果、突出する筆記体が没入している他の筆記体に接触すると同時に、他の筆記体１６は隣り合う２つの前記縦リブ２１の間に、筆記体１６の一部が落ち込みそれらのリブ間によって固定させられることになる。よって、筆圧で突出状態にある筆記体が動こうとしたときには、没入状態にある他の筆記体が先部材４内の隣り合うリブ間で固定されているため、筆記体同士の衝突作用は発生せず、良好な筆記が得られる。
次に、筆記体１６を軸本体１に収納したい場合には、他のスライダー１１を押圧する。他のスライダー１１を押圧すると、互いのスライダー１１の背面に形成されている解除突起１３、１４が衝突する。この衝突作用により、押圧されている状態にあるスライダー１１が軸筒本体１の外側方向に押圧される。そして、この押圧作用により、前記スライダー１１の摺動突起１２と摺動溝７との係合が解除され、その解除作用により突出している状態にある筆記体１６が弾撥部材１７の作用により後退し軸本体１内に没入する。
【００１２】
第２例を図１０に示し説明する。前記ボールホルダー２２の円錐部２４の外周表面には、帯状に溝部２７が形成されている。その溝部２７の幅は、定規が入り込まない程度、具体的には、０．５ｍｍ〜１．０ｍｍ程度の幅となっている。そして、その溝部２７には、ボールペン１６に収容されているインキと同色の塗料２６が塗装により着色されている。尚、前記溝部２７の表面にも、平均粗さ１．６μｍＲａ〜５０μｍＲａの微細な凹凸部を形成しても良い。仮に、厚さの薄い定規を使用しても、長期に渡って塗料２６の付着状態を維持することができる。
第３例を図１１に示し説明する。ボールホルダー２８の前方には、筒状の小径部２９が形成されており、その小径部２９の先端部にボール２３が回転自在に配置されている。前記小径部２９の表面には、前記第１例と同様な微細な凹凸部２５が形成されており、その凹凸部２５の表面にはボールペン１６に収容されているインキと同色の塗料２６が塗装により着色されている。
また、本例において前記凹凸部２５は、ボール２３の先端から１．５ｍｍ〜４．０ｍｍの範囲に形成されている。定規などの厚み部分が凹凸部２５に接触しない高さの位置に形成されている。
【図面の簡単な説明】
【００１３】
【図１】本発明の１例を示す縦断面図（筆記体没入状態）。
【図２】図１の側面図（筆記対突出状態）。
【図３】図１のＡ−Ａ線断面図。
【図４】図１のＢ−Ｂ線断面図。
【図５】図２のＣ−Ｃ線断面図。
【図６】図１の先部材の縦断面図。
【図７】図６のＤ−Ｄ線断面図。
【図８】図１の先端近傍拡大図。
【図９】図８のＥ部拡大図。
【図１０】第２例を示す要部拡大図。
【図１１】第３例を示す要部拡大図。
【符号の説明】
【００１４】
１      軸本体
２      前軸
３      後軸
４      先部材
５      中軸
６      スリット
７      摺動溝
８      脚部
９      クリップ部
１０    グリップ部材
１１    スライダー
１２    摺動突起
１３    解除突起
１４    解除突起
１５    接続部
１６    筆記体
１７    弾撥部材
１８    規制部
１９    貫通孔
２０    溝部
２１    リブ
２２    ボールホルダー
２３    ボール
２４    円錐部
２５    凹凸部
２６    塗料
２７    溝部
２８    ボールホルダー
２９    小径部
【図１】
0005029196.tif 000002
【図２】
0005029196.tif 000003
【図３】
0005029196.tif 000004
【図４】
0005029196.tif 000005
【図５】
0005029196.tif 000006
【図６】
0005029196.tif 000007
【図７】
0005029196.tif 000008
【図８】
0005029196.tif 000009
【図９】
0005029196.tif 000010
【図１０】
0005029196.tif 000011
【図１１】
0005029196.tif 000012